(57)【要約】      （修正有）【課題】小さなサンバイザーを装着し、視界を甚だしく妨げることなく、簡単に広範囲の眩光を遮る帽子型サンバイザーを提供する。【解決手段】帽子本体１１の外周に取り付けたツバ１２に装着された、または帽子のツバの一部を長く伸ばした形とした日除け部であって、該日除け部はツバに蝶番１３によって回転可能に取り付けられており、日除け部をツバの上部に回動させておけば使用者の視界が開かれ、他方、日除け部をツバの下部に回動させておけば日除けの機能を有するようになっている。【選択図】図１
0003227225.tif 000002
【実用新案登録請求の範囲】
【請求項１】
帽子本体の外周に取り付けた庇部分に装着された日除け部であって、該日除け部はツバに蝶番によって回転可能に取り付けられており、前記日除け部を前記ツバの上部に回動させておけば使用者の視界が開かれ、他方、前記日除け部を前記ツバの下部に回動させておけばサンバイザーの機能を有するようになっていることを特徴とするキャップ型の帽子型サンバイザー。
【請求項２】
前記ツバに回転可能に取り付けた日除け部は、この日除け部を前記ツバの上部ないし下部に回動させた状態で蝶番によって位置決め可能となっていることを特徴とする請求項１に記載のキャップ型の帽子型サンバイザー。
【請求項３】
帽子本体の外周の一部を引き伸ばした形態とした日除け部であって、該日除け部は庇に縫製によって折り返し可能に取り付けられており、前記日除け部を帽子の上部に折り返しておけば使用者の視界が開かれ、他方、前記日除け部の固定を外して通常の位置に戻せばサンバイザーの機能を有するようになっていることを特徴とするハット型の帽子型サンバイザー。
【請求項４】
前記庇に折り返し可能に取り付けた日除け部は、この日除け部を前記庇の上部に折り返した状態で、前記日除け部先端と帽子本体の対応する位置に取り付けた面ファスナーにより軽く固定して、不意に折り返されることによる視界妨害の発生を防止することが可能となっていることを特徴とする請求項３に記載のハット型の帽子型サンバイザー。
【考案の詳細な説明】
【技術分野】
【０００１】
自動車運転中、太陽の位置が下って通常の車内に設置されたサンバイザーでは遮光できず、まぶしいため危険を感ずることが少なくなく、これを解決するため、危険防止に小さなサンバイザーを帽子に装着することにより視界を甚だしく妨げることなく、帽子の簡単な操作によって広範囲の眩光を遮ることが可能な帽子型サンバイザーに関する。
【背景技術】
【０００２】
従来、帽子型サンバイザーとしては種々のものが提案されているが自動車用のサンバイザーに特化する可能性があるものは以下の２件のみであった。
実用新案登録第３１６９０６０号公報（特許文献１参照）：キャップの庇の下面にサンバイザーが取り付けられている。
欠点としては、サンバイザーが庇の下面に取り付けられていて、角度の調整が片手ではしにくく、また適度の角度に調節することが難しい。またサンバイザーが目に非常に近いので、視界を著しく妨げてしまう。
したがって、以上の点から自動車用の帽子型サンバイザーとしては不向きである。
【０００３】
実用新案登録第３１６３２８１号公報（特許文献２参照）：一見ハット型のものに似ているが、帽子と一体型のものではなく、帽子の上に装着するヘアバンドのような形式となっている。
欠点としては、帽子と一体型のものではないため即応性に乏しい。また先端が丸くなっているのでサンバイザーとしては不適当である。
また着け放しにすると視界が妨げられるおそれがある。
【先行技術文献】
【特許文献】
【０００４】
【特許文献１】実用新案登録第３１６９０６０号公報
【特許文献２】実用新案登録第３１６３２８１号公報
【考案の概要】
【考案が解決しようとする課題】
【０００５】
自動車運転中、太陽の位置が下って通常のサンバイザーでは遮光できず、まぶしいため危険を感ずることが少なくない。このために十分大きなサンバイザーを使うと、視界が著しく妨げられて、これもまた危険である。これを解決するため、危険防止に帽子に小さなサンバイザーを装着し、視界を甚だしく妨げることなく、簡単に広範囲の眩光を遮る方法を考案した。
【課題を解決するための手段】
【０００６】
すなわちこの考案の帽子型（キャップ型）サンバイザーは、帽子本体の外周に取り付けた庇部分に装着された日除け部であって、該日除け部はツバに蝶番によって回転可能に取り付けられており、前記日除け部を前記ツバの上部に回動させておけば使用者の視界が開かれ、他方、前記日除け部を前記ツバの下部に回動させておけばサンバイザーの機能を有するようになっていることを特徴とするものである。
【０００７】
この考案の前記帽子型（キャップ型）サンバイザーにおいては、前記ツバに回転可能に取り付けた日除け部は、この日除け部を前記ツバの上部ないし下部に回動させた状態で蝶番によって位置決め可能となっていることをも特徴とするものである。
【０００８】
この考案の帽子型（ハット型）サンバイザーは、帽子本体の外周の一部を引き伸ばした形態とした日除け部であって、該日除け部は庇に縫製によって折り返し可能に取り付けられており、前記日除け部を帽子の上部に折り返しておけば使用者の視界が開かれ、他方、前記日除け部の固定を外して通常の位置に戻せばサンバイザーの機能を有するようになっていることを特徴とするものである。
【０００９】
この考案の前記帽子型（ハット型）サンバイザーにおいては、前記庇に折り返し可能に取り付けた日除け部は、この日除け部を前記庇の上部に折り返した状態で、前記日除け部先端と帽子本体の対応する位置に取り付けた面ファスナーにより軽く固定して、不意に折り返されることによる視界妨害の発生を防止することが可能となっていることをも特徴とするものである。
【考案の効果】
【００１０】
請求項１の考案の帽子型（キャップ型）サンバイザーは、帽子本体の外周に取り付けたツバに装着された日除け部であって、該日除け部はツバに蝶番によって回転可能に取り付けられており、前記日除け部を前記ツバの上部に回動させておけば使用者の視界が開かれ、他方、前記日除け部を前記ツバの下部に回動させておけば日除けの機能を有するようになっていて、自動車運転中に太陽の位置が下って通常のサンバイザーでは遮光できない場合であっても、帽子のかぶり方の調節あるいは帽子を回して該日除け部を太陽の方向に向けることによって視界を甚だしく妨げることなく、簡単にあらゆる方向の眩光を遮ることが可能となった。
【００１１】
請求項２の考案の帽子型（キャップ型）サンバイザーは、前記ツバに回転可能に取り付けた日除け部が、この日除け部を前記ツバの上部ないし下部に回動させた状態で蝶番によって位置決め可能になっていてその上げ下げをワンタッチで操作することができるようになっていて、運転中であっても危険を感じることなく操作することが可能となった。
【００１２】
請求項３の考案の帽子型（ハット型）サンバイザーは、帽子本体の外周に取り付けた庇の一部を引き伸ばした形態とした日除け部であって、該日除け部は庇に縫製によって折り返し可能に取り付けられており、前記日除け部を前記庇の上部に折り返し軽く固定しておけば使用者の視界が開かれ、他方、折り返しを外して前記日除け部を本来の形に戻しておけば日除けの機能を有するようになっていて、自動車運転中に太陽の位置が下って通常のサンバイザーでは遮光できない場合であっても、太陽の位置が斜め方向または横にあっても帽子のかぶり方を調節することよって視界を甚だしく妨げることなく、簡単にあらゆる方向からの眩光を遮ることが可能となった。
【００１３】
請求項４の考案の帽子型（ハット型）サンバイザーは、前記庇の一部を引き伸ばした形態とした日除け部が、この日除け部を前記庇の上部に折り返した状態で、前記日除け部先端と帽子本体の対応する位置に取り付けた面ファスナーにより位置決め可能となっていて、面ファスナーの取り付けや取り外しをワンタッチで操作することができるようになっていて、運転中であっても危険を感じることなく操作することが可能となった。
【図面の簡単な説明】
【００１４】
【図１】帽子型サンバイザーの第１実施例（キャップ型）の使用状態を示す概略斜視図である。
【図２】そのサンバイザー板をツバ上に折返した状態の概略斜視図である。
【図３】帽子型サンバイザーの第１実施例（キャップ型）の使用状態を示す概略側面図である。
【図４】そのサンバイザー板をツバ上に折返した状態の概略側面図である。
【図５】帽子型サンバイザーの第１実施例（キャップ型）の使用状態を示し、（ａ）は太陽が低い位置にあるときの使用状態、（ｂ）は太陽が高い位置にあるときの使用状態である。
【図６】帽子型サンバイザーの第１実施例（キャップ型）の使用状態を示し、（ａ）は太陽が正面位置にあるときの使用状態、（ｂ）は太陽が右側前方位置にあるときの使用状態、（ｃ）は太陽が右側真横位置にあるときの使用状態である。
【図７】帽子型サンバイザーの第２実施例（ハット型）の使用状態を示す概略斜視図である。
【図８】そのサンバイザー部を帽子本体側に折返した状態の概略斜視図である。
【図９】帽子型サンバイザーの第２実施例（ハット型）の使用状態を示す概略側面図である。
【図１０】そのサンバイザー部を帽子本体側に折返した状態の概略側面図である。
【考案を実施するための形態】
【００１５】
以下、この考案の帽子型サンバイザーの第１実施例であるキャップ型サンバイザーを図１ないし図６を用いて詳細に説明する。
このキャップ型サンバイザー１０に使用する帽子は、野球帽様の帽子本体１１と、端部前端を直線状に切り落とした形のツバ１２から構成されている。このツバ１２は、なるべく先端の庇部１２ａの平らな、帽子本体１１の前面に直角に近くついているものが望ましい。また、先端が直線状に切り落としていないものは不都合である。庇部１２ａの端部を幅１２〜１３ｃｍ位になるように直線に裁断し、庇部１２ａの中央先端の上面に、開角２４０度〜２７０度の蝶番１３を取り付けてある。
【００１６】
また、前記蝶番１３の他面には幅１２〜１３ｃｍ×長さ５〜７ｃｍ（蝶番１３の最大開角により適宜調節）の矩形のサンバイザー板１４を取り付けてある。その上で、前記庇部１２ａの前面と前記ツバ１２の上面に面ファスナー１５，１６を取り付けておき、サンバイザーとして使用しないときは図２、図４のように蝶番１３を介してサンバイザー板１４をツバ１２上に折返し、前記面ファスナー１５，１６で前記サンバイザー板１４を前記ツバ１２上で閉じた状態として軽く固定することにより普通の帽子として使用すればよい。
【００１７】
ちなみに、本実施例に係るキャップ型サンバイザー１０は、図５（ａ），（ｂ）、図６（ａ），（ｂ），（ｃ）に示すように、太陽３１の位置に応じて、次のように使用することができる。
（１）図５（ａ）に示すように、太陽３１の位置が低い場合は、前記キャップ型サンバイザー１０を構成する前記帽子本体１１を前記ツバ１２が略水平位置となるよう被ることにより、前記サンバイザー板１４で太陽光の侵入を防ぎ、太陽光が直接目に照射されることがないようにすることができる。もちろん、前述のサンバイザー板１４の寸法を採用した場合には、自動車等の運転を行うにあたり全く問題ないことが確認できている。
（２）図５（ｂ）に示すように、太陽３１の位置が高い場合は、前記キャップ型サンバイザー１０を構成する前記帽子本体１１を前記ツバ１２が太陽の位置方向を向くよう浅く被ることにより、前記サンバイザー板１４で太陽光の侵入を防ぎ、太陽光が直接目に照射されることがないようにすることができるとともに、前記サンバイザー板１４が視界を塞ぐことなく視界を良好に保つことができる。
【００１８】
（３）図６（ａ）に示すように、太陽（図示せず）の位置が正面位置にある場合は、前記キャップ型サンバイザー１０を構成する前記帽子本体１１を前記ツバ１２が略水平位置となるよう被ることにより、前記サンバイザー板１４で太陽光の侵入を防ぎ、太陽光が直接目に照射されることがないようにすることができる。
（４）図６（ｂ）に示すように、太陽（図示せず）の位置が例えばやや右側前方位置にある場合は、前記キャップ型サンバイザー１０を構成する前記帽子本体１１を前記ツバ１２が太陽の位置方向を向くように被ることにより、前記サンバイザー板１４で太陽光の侵入を防ぎ、太陽光が直接目に照射されることがないようにすることができるとともに、前記サンバイザー板１４が視界を塞ぐことなく視界を良好に保つことができる。
（５）図６（ｃ）に示すように、太陽（図示せず）の位置が例えば右側真横位置にある場合は、前記キャップ型サンバイザー１０を構成する前記帽子本体１１を前記ツバ１２が太陽の位置方向を向くように被ることにより、前記サンバイザー板１４で太陽光の侵入を防ぎ、太陽光が直接目に照射されることがないようにすることができるとともに、前記サンバイザー板１４が視界を塞ぐことなく視界を良好に保つことができる。
このように、太陽の位置に応じて、帽子本体１１の向きを適宜調整することにより、太陽光の目元への侵入を前記サンバイザー板１４によって確実に防ぐことができるようになっている。もちろん、太陽の位置によっては、上述の（１）または（２）と、（３）ないし（５）のいずれかの帽子本体１１の向きを組み合わせることにより、太陽がどのような位置にあっても、太陽光の目元への侵入を前記サンバイザー板１４によって確実に防ぐことができるようになっている。
【００１９】
次に、この考案の帽子型サンバイザーの第２実施例であるハット型サンバイザーを図７ないし図１０を用いて詳細に説明する。
この考案の帽子型サンバイザーの第２実施例に使用する帽子は、帽子本体２１と、該帽子本体２１の外周に設けた反り返らせることのできる約４〜５ｃｍ幅のツバ２２から構成されており、いわゆる「お釜帽」である。そして、前記ツバ２２には、前記ツバ２２の一部を帽子本体２１の縁から延長させ、幅約１２ｃｍで帽子本体２１の基部から１０〜１２ｃｍ程度の長方形のサンバイザー部２３を設けてある。このサンバイザー部２３は、特に前縁の庇部２３ａはしっかりした材質であることが望ましい。その上で、前記庇部２３ａの前面と帽子本体２１の前面に面ファスナー２４，２５を取り付けておき、サンバイザーとして使用しないときは図８、図１０のように前縁の庇部２３ａを跳ね上げてサンバイザー部２３を帽子本体２１の前面に面ファスナー２４，２５で貼り付け、普通の帽子として使用すればよい。
【００２０】
［使用方法］
前記第1実施例、第２実施例ともに使用方法は同じである。
すなわち、車内において太陽の位置が低くなって自動車内のサンバイザーでは遮光できなくなった時、第１実施例では蝶番１３を下向きに返してサンバイザー板１４を閉じ、第２実施例では面ファスナー２４，２５を外してサンバイザー部２３を下向きとすれば、帽子のサンバイザーが立ちどころに機能する。遮光が不十分であれば帽子の前を適当に下げるか首を少し下げて調節し、サンバイザー板１４やサンバイザー部２３の下端が下り過ぎていれば帽子の後を引いて適当に調節すれば良い。
また、太陽が斜方または横にあってまぶしい時は第１実施例では帽子のツバ１２を、第２実施例ではサンバイザー部２３の横または後方の庇部２３ａの端を引いてサンバイザー板１４またはサンバイザー部２３の位置を調節すれば、太陽がいかなる位置にある場合でも十分な防眩効果を得ることができる。
【００２１】
［従来の技術との比較］
１．帽子に補助装置を付与して遮光する考案は数多くあるが、多くは紫外線などの防護が主目的で、サンバイザーの機能を主目的としたものは余り無い。サンバイザーの機能を挙げたものでも、日没時など太陽が低い位置にある時を主な対象とした簡便な装置は見られない。また特殊な機構を必要としている。
２．太陽の位置が低いときにも使えそうなものもあるが、すべて先端が円い形をしており、十分なサンバイザーの機能は期待できない。サンバイザーとして十分機能するようには、庇（ひさし）を大きくする必要があり、そのためには視界をひどく妨げることとなり、実用的でない。
３．帽子を操作してサンバイザーの機能を拡大し、万能サンバイザーとする考案は本案以外には無い。
【産業上の利用可能性】
【００２２】
この考案の帽子型サンバイザーは以上のように構成したので、自動車運転中に使用する場合のサンバイザーとしてのみならず、屋外で着用する場合等において非常に有効に使用することが可能である。
【符号の説明】
【００２３】
１１  帽子本体
１２  ツバ
１２ａ  庇部
１３  蝶番
１４  サンバイザー板
１５，１６  面ファスナー
２１  帽子本体
２２  ツバ
２３  サンバイザー部
２３ａ  庇部
２４，２５  面ファスナー
３１  太陽
【図１】
0003227225.tif 000003
【図２】
0003227225.tif 000004
【図３】
0003227225.tif 000005
【図４】
0003227225.tif 000006
【図５】
0003227225.tif 000007
【図６】
0003227225.tif 000008
【図７】
0003227225.tif 000009
【図８】
0003227225.tif 000010
【図９】
0003227225.tif 000011
【図１０】
0003227225.tif 000012